(57)【特許請求の範囲】
【請求項１】
クリップ本体部と、前記クリップ本体部を支持するクリップ支持体との間で被挟持物を挟み込むようにした筆記具のクリップ構造であって、
前記クリップ支持体の軸線方向に移動する移動体と、
前記移動体に一体的に設けられたラック部と、
前記クリップ本体部の基端に一体的に設けられ、前記クリップ支持体に対して回動自在に軸支されると共に、前記ラック部に噛合するピニオン部と、
前記移動体を後方に向かって付勢する弾性部と、を備えたことを特徴とする筆記具のクリップ構造。
【請求項２】
前記移動体の後部には、前記クリップ支持体の後端から突出するノック部が設けられていることを特徴とする請求項１記載の筆記具のクリップ構造。
【発明の詳細な説明】
【技術分野】
【０００１】
本発明は、筆記具のキャップや軸筒などに適用されるクリップ構造に関するものである。
【背景技術】
【０００２】
従来、このような分野の技術として、下記特許文献１に記載された筆記具のクリップ構造が知られている。このクリップ構造は、筆記具の軸筒との間で物を挟むクリップ本体部と、クリップ本体部と軸筒とを連結して、クリップ本体部に挟持力を発生させる板バネとを備えている。この板バネの一端は、クリップ本体部の一部で固定され、板バネの弾性力によってクリップ本体部の先端を軸筒の外壁面側に付勢することで、クリップ本体部に狭持力を発揮させている。さらに、このクリップ構造において、軸筒側に設けられた回転軸は、クリップ本体部の基端側に形成された受容孔内に挿入され、この受容孔は、軸線に対して直交する方向に延在する長孔である。従って、クリップ本体部の基部側は、軸筒に対して近づいたり離れたりするような移動が可能であるので、クリップ本体部の基端側と軸筒との間の間隔を広げることで、厚い物をクリップ本体部の奥まで差し入れることができ、クリップ本体部と軸筒との間で厚い物を確実に挟むことができる。
【先行技術文献】
【特許文献】
【０００３】
【特許文献１】特開２００７−２５３３２９号公報
【発明の概要】
【発明が解決しようとする課題】
【０００４】
弾性部材で狭持力を発生させる一般的なクリップ構造では、厚い物を挟むとクリップ本体部が大きく開くことになり、弾性部材の変形量が大きくなってしまうので、弾性部材の弾性疲労や破損が発生し易く、クリップの機能が損なわれるおそれもある。そして、上記特許文献１のクリップ構造にあっても、厚い物を挟み易くはなっているが、板バネの変形量が緩和されるわけではなく、板バネの弾性疲労や破損の可能性は特に低減されない。
【０００５】
本発明は、狭持力を発生させる弾性部の弾性疲労や破損を抑制することができる筆記具のクリップ構造を提供することを目的とする。
【課題を解決するための手段】
【０００６】
本発明は、クリップ本体部と、クリップ本体部を支持するクリップ支持体との間で被挟持物を挟み込むようにした筆記具のクリップ構造であって、
クリップ支持体の軸線方向に移動する移動体と、
移動体に一体的に設けられたラック部と、
クリップ本体部の基端に一体的に設けられ、クリップ支持体に対して回動自在に軸支されると共に、ラック部に噛合するピニオン部と、
移動体を後方に向かって付勢する弾性部と、を備えたことを特徴とする。
【０００７】
この筆記具のクリップ構造においては、クリップ本体部の先端側を指で持ち上げると、クリップ本体部の回動に追従してピニオン部が回動する。そして、ピニオン部に噛合されているラック部がクリップ支持体の前方に向かって移動し、ラック部に設けられた移動体も前方に向かって移動する。このとき、移動体は、弾性部の付勢力に抗してクリップ支持体に沿って前進する。また、クリップ本体部が開いた後に、クリップ本体部から指を離すと、弾性部の付勢力によって移動体が後退し、これに伴ってクリップ本体部が自動的に閉じる。このように、クリップ本体部の開閉機構にラック部とピニオン部とを採用しているので、クリップ本体部を大きく（例えば１８０度）開かせることができ、これによって厚い本などの被挟持物を挟み込み易く、弾性部に弾性疲労や破損が発生し難い。そして、クリップ本体部はスムーズに大きく開き、クリップ本体部に無理な力が加わることがないので、クリップ本体部の折れも防止される。
【０００８】
また、移動体の後部には、クリップ支持体の後端から突出するノック部が設けられていると好適である。
このような構成では、指でノック部を押すことで、クリップ本体部を開かせることができるので、クリップ本体部の開閉をノック式の芯繰り出しと同様の簡易な片手操作で行うことができる。
【発明の効果】
【０００９】
本発明によれば、狭持力を発生させる弾性部の弾性疲労や破損を抑制することができる。
【図面の簡単な説明】
【００１０】
【図１】本発明に係る筆記具のクリップ構造の一実施形態を示す斜視図である。
【図２】図１に示された筆記具の断面図である。
【図３】クリップ本体部を開いた状態を示す斜視図である。
【図４】図３に示された筆記具の要部の断面図である。
【発明を実施するための形態】
【００１１】
以下、図面を参照しつつ本発明に係る筆記具のクリップ構造の好適な実施形態について詳細に説明する。なお、ペン先側を「前方側」として以下説明する。
【００１２】
図１及び図２に示すように、筆記具１は、軸筒（クリップ支持体）２を有し、この軸筒２内には中芯３が装填されている。そして、軸筒２の後部には、先端に玉部１０ａを有するクリップ本体部１０と、クリップ本体部１０を支持する軸筒２との間で被挟持物（例えば、本や雑誌など）を挟み込むように構成されたクリップ構造が採用されている。
【００１３】
軸筒２の内部において、後部には、軸線Ｌ方向に延在するガイド孔４が形成され、このガイド孔４内には、圧縮コイルばね（弾性部）５が装填されている。この圧縮コイルばね５の前端は、ガイド孔４の前端に形成された段部４ａに当接され、圧縮コイルばね５の後端は、ガイド孔４内に装填された樹脂製の移動体６の前端に当接され、これによって、圧縮コイルばね５は、移動体６を筆記具１の後方に向かって付勢している。また、圧縮コイルばね５を利用することで、圧縮コイルばね５内に中芯３を通すことができ、軸筒２を長くすることなく、長い中芯３の利用が可能になる。
【００１４】
この移動体６は、ガイド孔４内に挿入された断面円形のロッド形状をなし、ガイド孔４で案内されながら軸線Ｌ方向に摺動可能である。移動体６の外面には、軸線Ｌ方向に延在するラック部７が一体成形により突出して形成され、このラック部７は、軸筒２の後部に形成されたスリット８から外部に露出し、スリット８内でラック部７は、軸線Ｌ方向に移動体６と一緒に進退する。
【００１５】
軸筒２の後部には、クリップ本体部１０の基端を回動自在に支持するための軸取付部１１が形成され、軸取付部１１は、軸筒２から立設された平行な２枚の板部１１ａからなり、軸取付部１１には板部１１ａを架け渡すように軸部１３が固定されている。クリップ本体部１０の基端にはピニオン部１２が一体的に設けられ、このピニオン部１２は軸部１３によって軸支されている。そして、ピニオン部１２の歯部１２ａとラック部７の歯部７ａとが噛合し、クリップ本体部１０を略１８０度回動可能にするために、ピニオン部１２には、半周分すなわち１８０度の範囲で歯部１２ａが形成されている。
【００１６】
この筆記具１のクリップ構造においては、図３及び図４に示すように、クリップ本体部１０を開かせるために、クリップ本体部１０の先端側を指で持ち上げると、クリップ本体部１０の回動に追従してピニオン部１２が回動する。そして、ピニオン部１２に噛合されているラック部７が軸筒２の前方に向かって移動し、ラック部７に設けられた移動体６も前方に向かって移動する。このとき、移動体６は、ガイド孔４内で圧縮コイルばね５の付勢力に抗して前進する。
【００１７】
また、クリップ本体部１０が開いた後に、クリップ本体部１０から指を離すと、圧縮コイルばね５の付勢力によって、移動体６が後退し、これに伴ってクリップ本体部１０が自動的に閉じる。このように、クリップ本体部１０の開閉機構にラック部７とピニオン部１２とを採用しているので、クリップ本体部１０を大きく開かせることができ、これによって厚い本などの被挟持物を挟み込み易く、例え、クリップ本体部１０が１８０度開いたとしても、圧縮コイルばね５に弾性疲労や破損が発生し難い。そして、クリップ本体部１０はスムーズに大きく開き、クリップ本体部１０に無理な力が加わることがないので、クリップ本体部１０の折れも防止される。
【００１８】
更に、移動体６の後部には、軸筒２の後端から突出するノック部１４が設けられている。このような構成を採用した場合、指でノック部１４を押すことで、クリップ本体部１０を開かせることができるので、クリップ本体部１０の開閉をノック式の芯繰り出しと同様の簡易な片手操作で行うことができる。
【００１９】
本発明は、前述した実施形態に限定されないことは言うまでもない。例えば、クリップ支持体としては、ペン先の保護や乾きを防止するために着脱自在なキャップであってもよい。また、弾性部として、移動体６をゆっくり戻すことができるオイルダンパーの適用も可能であり、これによって、開いた状態のクリップ本体部１０が急激に戻ることを防止することができる。
【符号の説明】
【００２０】
１…筆記具、２…軸筒（クリップ支持体）、５…圧縮コイルばね（弾性部）、６…移動体、７…ラック部、１２…ピニオン部。
【図１】
0005469562.tif 000002
【図２】
0005469562.tif 000003
【図３】
0005469562.tif 000004
【図４】
0005469562.tif 000005